(57)【要約】【課題】口腔内の所望の部位を照明しながらその部位を観察することが容易なデンタルミラーを提供する。【解決手段】デンタルミラー１は、棒状のハンドル２と、縦長ミラー３と、光源４と、筒５１と、可動ロッド５２とを備える。ハンドル２は、前端２１及び後端２２を有する。縦長ミラー３は、ハンドル２と同軸方向Ｘへ延びるように設けられる。縦長ミラー３は、鏡面３１を有する。鏡面３１は、ハンドル２の前端２１から始まる。光源４は、ハンドル２の前端２１側に設けられる。光源４は、縦長ミラー３の先端３２の方へ向けられる。筒５１は、ハンドル２内に形成され、ハンドル２の軸方向に延びる。可動ロッド５２は、光源４が取り付けられた先端５３を有し、筒５１内に収納され、ハンドル２の軸方向Ｘに沿って筒５１内で摺動可能である。【選択図】図１
2019146702.tif 000002
【特許請求の範囲】
【請求項１】
前端及び後端を有する棒状のハンドルと、
前記ハンドルと同軸方向へ延びるように設けられ、前記ハンドルの前端から始まる鏡面を有する縦長ミラーと、
前記ハンドルの前端側に設けられ、前記縦長ミラーの先端の方へ向けられた光源と、
前記ハンドル内に形成され、前記ハンドルの軸方向に延びる筒と、
前記光源が取り付けられた先端を有し、前記筒内に収納され、前記ハンドルの軸方向に沿って前記筒内で摺動可能な可動ロッドとを備える、デンタルミラー。
【請求項２】
請求項１に記載のデンタルミラーであって、
前記可動ロッドは、自在に曲げ可能で、かつ、形状の保持が可能な部材で構成される、デンタルミラー。
【請求項３】
請求項１又は２に記載のデンタルミラーであって、
前記ハンドルは、円柱形状を有し、
前記光源は、前記ハンドルの前端の中心に配置され、
前記縦長ミラーは、前記ハンドルの前端に偏心して配置される、デンタルミラー。
【請求項４】
請求項１〜３のいずれか１項に記載のデンタルミラーであって、
前記ハンドルは、外周面から前端に渡って形成されたテーパを有する、デンタルミラー。
【発明の詳細な説明】
【技術分野】
【０００１】
本発明は、デンタルミラーに関し、さらに詳しくは、光源付きデンタルミラーに関する。
【背景技術】
【０００２】
特公昭６０−３１４９６号公報（特許文献１）は、把手本体と、この把手本体に回転可能に取付られた支持部材と、この支持部材に揺動可能に取付られた口内鏡と、把手本体または支持部材に摺動可能に取付られかつ支持部材とともに回転可能な調節部材と、照明部材とを具え、調整部材は口内鏡に、調節部材の摺動に応じて口内鏡を揺動させるように連結部材を介して連結され、照明部材は口内鏡に映されるべき対象を照明するようになっていることを特徴とする歯鏡装置を開示する。
【０００３】
実用新案登録第３０６６２４６号公報（特許文献２）は、直円柱状の照明体の先端部の外周にミラーの柄部を固定し、照明体の光源の前方離間位置にミラーの柄部先端に円形鏡板が傾斜状に保持せしめたことを特徴とする歯科用ミラーを開示する。
【０００４】
実用新案登録第３１４１０６３号公報（特許文献３）は、鏡部分を取り付けている柄の部分にＬＥＤライトを取り付け、ＬＥＤライトの光を鏡に反射させ、歯の裏側は口腔内の光が届きにくい部分にＬＥＤの光をあてるようにしたＬＥＤライト付デンタルミラーを開示する。
【０００５】
特開２００１−１１２７９３号公報（特許文献４）は、歯科治療において、口腔に挿入し検診するために用いる歯科用ミラーにおいて、内部に電池とＬＥＤ光源とを収容し、ＬＥＤ光源のオンオフを行うスイッチを有し、ＬＥＤ光源の光を先端方向に向けて発光させるホルダと、ホルダの先端に着脱可能に連結される柄部と、この柄部の先端に所定角度で連接されたミラープレート部と、このミラープレート部の表面に形成されたミラーとを有し、柄部とミラープレート部とが合成樹脂によって一体成形されてなるミラー本体とを備え、ＬＥＤ光源の光がミラー本体のミラーに向けて照射されるように構成されていることを特徴とする歯科用ミラーを開示する。
【０００６】
特開２００２−１３６５２９号公報（特許文献５）は、柄の先端に口腔内に入る大きさの小型鏡を１個又は２個取りつけ、その鏡は柄に対して異なった角度を成し得るよう構成され、２個の鏡の場合は各々の鏡がそれぞれ柄に対して異なった角度を成し得るよう構成され、柄は棒状の細軸懐中電灯の光源に対して前方に、かつ光軸に対し略平行に取りつけられたことを特徴とする光源付き口腔内視鏡を開示する。
【０００７】
これらのデンタルミラーは、光を鏡に照射することによりその反射光で口腔内を照明しながら、鏡に映った部位を観察するようになっている。しかしながら、小さい鏡による反射光で照明と観察の両方を行う必要があるため、所望の部位を適切に照明しながら、その部位を観察することは容易ではないという問題がある。
【０００８】
実開昭５９−１９１０６号公報（特許文献６）は、歯科医の歯治療用ミラーの付根部分にマイクロランプを取付け、歯の内側がよく磨かれているか点検ができるミラーを開示する。
【０００９】
実用新案登録第３０６０２９８号公報（特許文献７）は、鏡部と柄部の境界に近接した柄部に、眩しさを防止するために突出させ傾斜させた光源部を持つ照明装置付歯鏡を開示する。
【００１０】
特開２００２−２８１３３号公報（特許文献８）は、把持部の先端に鏡を取付け形成してなる口腔診査に用いる歯鏡において、鏡の外周には照明部材を配設することを特徴とする歯鏡を開示する。
【００１１】
特開２００４−１８８０３６号公報（特許文献９）は、把持柄の端部に把持柄から所望の角度で傾斜した口内鏡を装着した歯科用鏡において、把持柄の内部に圧電体を装着し、圧電体に対向する把持柄に押圧部材を装着し、口内鏡の鏡面側にＬＥＤを装着し、圧電体とＬＥＤをリード線で接続し、押圧部材を押圧して圧電体から発生した起電力でＬＥＤを発光させることを特徴とする歯科用鏡を開示する。
【００１２】
これらのデンタルミラーは、光源を鏡側に設け、その光源からの直接光で口腔内を照明しながら、鏡に映った部位を観察するようになっている。しかしながら、光源からの光が目に入って眩しいため、鏡に映った部位を観察しにくいという問題がある。
【００１３】
実用新案登録第３１４９１４３号公報（特許文献１０）は、板状長尺部の一端側に、長尺部より広幅の板状膨大部を設け、長尺部と膨大部の表面を鏡面にしたデンタルミラーであって、長尺部は上下の歯列の上下合計高さと概ね同一幅、かつ奥歯〜前歯の奥行き長さより大きな長さをなし、膨大部は左右の奥歯の外幅より狭く、内幅より広い幅、かつ奥歯〜前歯の奥行き長さより大きな長さをなすデンタルミラーを開示する。
【００１４】
このデンタルミラーは通常よりも大きい鏡を有しているが、診察台の照明から光を照射しながら、口腔内の部位を観察するようになっているため、照明からの光が観察者の頭で遮られたり、反射光が直接目に入ったりするなど、やはり所望の部位を観察しにくいという問題がある。
【先行技術文献】
【特許文献】
【００１５】
【特許文献１】特公昭６０−３１４９６号公報
【特許文献２】実用新案登録第３０６６２４６号公報
【特許文献３】実用新案登録第３１４１０６３号公報
【特許文献４】特開２００１−１１２７９３号公報
【特許文献５】特開２００２−１３６５２９号公報
【特許文献６】実開昭５９−１９１０６号公報
【特許文献７】実用新案登録第３０６０２９８号公報
【特許文献８】特開２００２−２８１３３号公報
【特許文献９】特開２００４−１８８０３６号公報
【特許文献１０】実用新案登録第３１４９１４３号公報
【発明の概要】
【発明が解決しようとする課題】
【００１６】
本発明の目的は、口腔内の所望の部位を照明しながらその部位を観察することが容易なデンタルミラーを提供することである。
【課題を解決するための手段】
【００１７】
本発明に係るデンタルミラーは、前端及び後端を有する棒状のハンドルと、ハンドルと同軸方向へ延びるように設けられ、ハンドルの前端から始まる鏡面を有する縦長ミラーと、ハンドルの前端側に設けられ、縦長ミラーの先端の方へ向けられた光源と、ハンドル内に形成され、ハンドルの軸方向に延びる筒と、光源が取り付けられた先端を有し、筒内に収納され、ハンドルの軸方向に沿って筒内で摺動可能な可動ロッドとを備える。
【図面の簡単な説明】
【００１８】
【図１】図１は、本発明の実施形態に係るデンタルミラーを示す斜視図である。
【図２】図２は、図１に示されるデンタルミラーの一部を破断した断面図である。
【発明を実施するための形態】
【００１９】
本実施形態に係るデンタルミラーは、棒状のハンドルと、縦長ミラーと、光源と、筒と、可動ロッドとを備える。ハンドルは、前端及び後端を有する。縦長ミラーは、棒状のハンドルと同軸方向へ延びるように設けられ、ハンドルの前端から始まる鏡面を有する。光源は、ハンドルの前端側に設けられ、縦長ミラーの先端の方へ向けられる。筒は、ハンドル内に形成され、ハンドルの軸方向に延びる。可動ロッドは、光源が取り付けられた先端を有し、筒内に収納され、ハンドルの軸方向に沿って筒内で摺動可能である。
【００２０】
本実施形態によれば、可動ロッドを筒内に入れたり筒から出したりすると、光源がハンドルと同軸方向に沿って縦長ミラーの鏡面上で自在に移動する。その結果、本実施形態は、口腔内の所望の部位を照明しながらその部位を観察することが容易である。
【００２１】
可動ロッドは、自在に曲げ可能で、かつ、形状の保持が可能な部材で構成されていてもよい。
【００２２】
この場合、可動ロッドを曲げることにより、光源を所望の方向に向けることができる。
【００２３】
ハンドルは、円柱形状を有していてもよい。光源は、ハンドルの前端の中心に配置されていてもよい。縦長ミラーは、ハンドルの前端に偏心して配置されていてもよい。
【００２４】
この場合、光源を中心にハンドルを回転させることにより、縦長ミラーを口腔内で所望の方向に向けることができる。
【００２５】
ハンドルは、外周面から前端に渡って形成されたテーパを有していてもよい。
【００２６】
この場合、ハンドルの前端部分が視界を遮らないため、口腔内を広く観察することができる。
【００２７】
以下、図面を参照しながら、本発明の実施形態を詳細に説明する。なお、図中同一又は相当部分には同一符号を付してその説明を繰り返さない。
【００２８】
図１を参照して、本発明の実施形態に係るデンタルミラー１は、棒状のハンドル２と、縦長ミラー３と、光源４と、スライド機構５とを備える。ハンドル２は、前端２１及び後端２２を有する。縦長ミラー３は、ハンドル２と同軸方向Ｘへ延びるように設けられる。縦長ミラー３は、鏡面３１を有する。鏡面３１は、ハンドル２の前端２１から始まる。光源４は、ハンドル２の前端２１側に設けられる。光源４は、縦長ミラー３の先端３２の方へ向けられる。
【００２９】
図２を参照して、スライド機構５は、光源４がハンドル２と同軸方向Ｘに沿って縦長ミラー３の鏡面３１上で移動するように縦長ミラー３と光源４との間の相対的な位置関係を変更する。より具体的には、スライド機構５は、筒５１と、可動ロッド５２とを含む。筒５１は、ハンドル２内に形成される。筒５１は、ハンドル２の軸方向Ｘに延びる。可動ロッド５２は、光源４が取り付けられた先端５３を有する。可動ロッド５２は、筒５１内に収納され、ハンドル２の軸方向Ｘに沿って筒５１内を摺動可能である。
【００３０】
筒５１は、例えば、ハンドル２内に形成された真っ直ぐの孔、ハンドル２内に装着された管などで構成される。
【００３１】
可動ロッド５２は、自在に曲げ可能で、かつ、形状の保持が可能な部材で構成される。可動ロッド５２の部材は、例えば、ベローズ、ジャバラ、鋼線を螺旋状に埋設した可撓性の管などを用いることができる。可動ロッド５２は、円筒形状を有する。
【００３２】
可動ロッド５２の径は筒５１の径よりも僅かに小さいので、可動ロッド５２は筒５１内でスライド自在である。そのため、可動ロッド５２の全体を筒５１内に収納したり、ほぼ全体を筒５１から引き出したりすることができる。
【００３３】
図１及び図２を参照して、ハンドル２は、円柱形状を有する。光源４は、ハンドル２の前端２１の中心に配置される。縦長ミラー３は、ハンドル２の前端２１に偏心して配置される。
【００３４】
ハンドル２は、外周面２３から前端２１に渡って形成されたテーパ２４を有する。ハンドル２は、ほぼ円筒をなし、樹脂や金属等で構成される。
【００３５】
縦長ミラー３としては、例えば、ガラスや樹脂製の平板の片面に金属を蒸着した鏡、金属製の平板などを用いることができる。縦長ミラー３は、その後端部３３がハンドル２内に埋設されることにより、ハンドル２の前端２１に固着される。縦長ミラー３の鏡面３１は、ハンドル２の前端２１から始まり、その先端３２まで達する。すなわち、縦長ミラー３の全面が鏡面３１になっている。
【００３６】
縦長ミラー３は、口腔内に挿入可能なサイズを有する。縦長ミラー３のサイズは、縦長ミラー３が口腔内に無理なく挿入可能であれば、大きい方が好ましい。縦の長さは、例えば６〜１２ｃｍであり、好ましくは８〜１０ｃｍである。横の長さは、例えば２〜６ｃｍであり、好ましくは３〜５ｃｍである。縦長ミラー３の先端３２付近は、口腔を傷つけないように、角ではなく、丸く形成されている。
【００３７】
光源４としては、例えば、ＬＥＤ（発光ダイオード）、電球などを用いることができる。光源４は縦長ミラー３の先端３２の方へ向けられているため、光は先端３２の方に向かって照射されるが、光の一部は口腔内に直接照射され、他の一部は鏡面３１で反射して口腔内に照射される。
【００３８】
デンタルミラー１はさらに、スイッチ６と、電池７と、ＵＳＢソケット８とを備える。スイッチ６は、ハンドル２内に埋設され、ハンドル２の外周面２３から露出する。スイッチ６は、光源４及び電池７に接続され、光源４をオン／オフする。電池７は、ハンドル２内に収納される。電池７は、リチウムイオン電池等の二次電池であり、光源４、スイッチ６及びＵＳＢソケット８に接続される。光源４と電池７との間に接続される導線は、可動ロッド５２内に配置される。電池７は、光源４に電力を供給することにより光源４を発光させるとともに、ＵＳＢソケット８から電力の供給を受けることにより充電される。ＵＳＢソケット８はハンドル２内に埋設され、ハンドル２の後端２２から露出する。ＵＳＢソケット８は、外部から電力の供給を受ける。
【００３９】
次に、デンタルミラー１の使用方法を説明する。
【００４０】
デンタルミラー１のスイッチ６をオンにすると、光源４が発光する。ハンドル２を持ち、縦長ミラー３を口腔内に挿入する。
【００４１】
可動ロッド５２が完全にハンドル２内に収納されている場合、光源４はハンドル２の前端２１に位置する。そのため、光源４は口腔内を広く照明することができる。光源４を指で摘んで可動ロッド５２をハンドル２から引き出した場合、光源４は縦長ミラー３上に位置する。可動ロッド５２を所望の長さだけ引き出すことにより、光源４を縦長ミラー３上の所望の位置に配置することができる。そのため、光源４は口腔内の所望の部位を明るく照明することができる。したがって、口腔内の所望の部位を照明しながらその部位を観察することが容易である。
【００４２】
また、可動ロッド５２を曲げることにより、光源４を所望の方向に向けることができる。また、光源４を中心にハンドル２を回転させることにより、縦長ミラー３を口腔内で所望の方向に向けることができる。したがって、口腔内の全ての部位を照明しながらその部位を観察することができる。
【００４３】
また、テーパ２４が形成され、ハンドル２の前端部分が視界を遮らないため、口腔内を広く観察することができる。
【００４４】
本発明は上述した実施形態に限定されることなく、後述する特許請求の範囲内で種々の形態に変形してもよい。
【００４５】
例えば、ハンドル２は円柱状でなくてもよく、角柱状でもよい。また、縦長ミラー３の全面が鏡面３１でなくてもよく、縦長ミラー３の周縁にフレームがあってもよい。また、縦長ミラー３は平らでなくてもよく、少し湾曲していてもよい。
【００４６】
また、縦長ミラー３はハンドル２に着脱自在に取り付けられていてもよい。具体的には、ボルトで縦長ミラー３をねじ留めしてもよい。あるいは、縦長ミラー３を鉄等の磁性体で構成し、かつ、ハンドル２に磁石を設け、縦長ミラー３をハンドル２に磁力で留めてもよい。この場合、縦長ミラー３をハンドル２から外せば、容易に洗浄することができる。また、複数種類のサイズや形状の縦長ミラー３を用意し、好みに応じて変更できるようにしてもよい。また、縦長ミラー３の鏡面３１上に透明フィルムを貼り付け、これを適宜貼り替えたり、あるいは、縦長ミラー３の全体に透明の袋を被せ、これを適宜交換したりすれば、縦長ミラー３を衛生的に保つのが容易になる。
【００４７】
筒５１は、円筒に限らず、角筒でもよい。同様に、可動ロッド５２も円柱や円筒に限らず、角柱や角筒でもよい。可動ロッド５２は、光源４の位置を多段階に変更できるように、数ミリ引き出すたびに弱く固定されるようになっていてもよい。また、可動ロッド５２の後端がハンドル２の後端２２から突出していてもよい。この場合、突出している部分をハンドル２内に押し込んだりハンドル２から引き出したりして可動ロッド５２をスライドさせれば、光源４を移動させることができる。
【符号の説明】
【００４８】
１：デンタルミラー
２：ハンドル
３：縦長ミラー
４：光源
５：スライド機構
２１：前端
２２：後端
２３：外周面
２４：テーパ
３１：鏡面
３２：先端
５１：筒
５２：可動ロッド
【図１】
2019146702.tif 000003
【図２】
2019146702.tif 000004